(57)【要約】      （修正有）【課題】小河川などを対象に簡単な小規模工事で迅速に設置および移設可能となる上に、水源の水位の変動に影響されず、常時安定した出力を得ることができる可搬型水車を提供する。【解決手段】狭幅水流Ｓ１を挟む両岸に設置可能な一対の定着台２，２間に、回転軸３の両端がわを軸着すると共に、該回転軸３の水流Ｓ１に対応する中途適所に、同回転軸３回り同心円上に複数のバケット４５を等角度間隔毎に配し、同回転軸３回りの各バケット４５，４５，……よりも回転軸３寄りとなる同心円上の所定間隔毎であって、各バケット４５，４５，……左右巾の中央となる位置に、複数の慣性錘４６を互いに均衡するよう配した水車４を一体化し、回転軸３の水車４と左右一対の定着台２，２との間夫々に歯車５，５を一体化してなる。【選択図】図１
0003158569.tif 000002
【実用新案登録請求の範囲】
【請求項１】
狭幅水流を挟んで対峙する両岸夫々に設置可能な一対の定着台間に、該狭幅水流の直上または直下の何れかに配するよう、該水流に直交する水平状に横架可能な回転軸の両端がわを夫々軸受けを介して軸着すると共に、該回転軸の水流に対応する中途適所に、同回転軸回り同心円上に複数の羽根板またはバケットを等角度間隔毎に配すると共に、同回転軸回りの各羽根板または各バケットよりも僅かに回転軸寄りとなる同心円上の所定間隔毎であって、各羽根板または各バケット左右巾の中央となる位置に、複数の慣性錘を互いに均衡するよう配した水車を一体化した上、該回転軸の水車と左右一対の定着台との間となる適所夫々に、回転力取り出し用の歯車を同心状に一体化してなるものとしたことを特徴とする可搬型水車。
【請求項２】
小河川途中の上流がわに上堰堤を配し、該上堰堤に近い下流がわに、同上堰堤より僅かに低く、河床付近に減圧口を開口した下堰堤を配し、該上堰堤と下堰堤との間に井堰を設置すると共に、該井堰の下堰堤の河床付近から小河川外に分岐管を導出し、同分岐管の吐出端がわに、請求項１記載の可搬型水車を配した上、該可搬型水車を通過した水流を当該小河川本流の下流がわに誘導可能な放水路を設置してなるものとした、請求項１記載の可搬型水車を組み込んだ小型水力装置。                                                        
【考案の詳細な説明】
【技術分野】
【０００１】
この考案は、自然エネルギーの利用に有効な水車に関連するものであり、特に巾狭い沢や小川、各種用水路などの適所に容易に設置および移設容易な可搬型の水車を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                      
【背景技術】
【０００２】
（着目点）
近年、化石燃料の枯渇が懸念されると共に、地球温暖化の原因物質の１つと目される二酸化炭素の排出量削減が地球規模の課題となり、世界各国が再生可能エネルギーの利用に力を入れるようになって市民レベルでも自然冷媒ヒートポンプ給湯機や太陽光発電システムの導入などが一般に広く行われるようになってきているが、こうした一般住宅向けの従来型空気給湯機や発電設備などは、多額の初期投資を要するものであったり、ヒートポンプを起動するために既存の電源システムが必要となって日没後や雨天、降雪などに伴い発電不能となってしまったりするなど、現時点では未だ安定電力を確保するために電力会社の送電網に繋ぐ必要があって費用対効果の面で高く付いてしまう点などを考慮すれば、狭い国土内に多くの山脈を有しており、それらから下る河川の平均的流速は他国より速いとされる我が国内において、それら河川水を利用した小規模の水力発電の有効利用が等閑にされている現状を放置すべきではないと考える。
【０００３】
（従来の技術）
こうした状況を思惟し、例えば、下記の特許文献１（１）に提案されているものに代表されるように、車輪および把手を有する架台上に搭載し、給排水管を接続可能とした水車や、特許文献１（２）に見られるように、農業用水路などに簡単に掛け渡し設置可能とした水車などからなる可搬型の水力発電装置、ならびに、特許文献１（３）のように、フライホイールを設けて回転力を増幅可能とした回転車の利用や、特許文献１（４）および（５）のような、河川本流から分岐した水流を利用して発電に利用可能としたものなどが散見される。
【０００４】
しかし、特許文献１（１）に示されているような、可搬用とした小型でケーシングに内蔵してなる水車は、ケーシングの取水口に接続可能な送水管が不可欠で、設置の自由度に制限があり、特許文献１（２）のように、用水路本流に直接的に掛け渡して設置するようにしたものは、用水路の水位変動に応じて水車の昇降操作を行わなければならないという欠点があり、また、特許文献１（３）に代表するもののようにフライホイールの先端に風力用の受力部を形成したものは、その主軸が一端支持のものとしてあり、そのまま水車に利用するには、充分な支持強度を得るのが難しい上、軸受け支持した主軸の一端がわから自然エネルギーを取り出すしかなく、複数系統の出力を得るのが難しいという欠点を有するであり、更にまた、特許文献１（４）のように、河川の直下となる地中などに水車を配して落水管を通じて河川水を供給するようにしたものや、特許文献１（５）のように、複数本の導水管を設けて水車に多方向から河川水を供給可能としたものなどは、何れも高度な土木工事や大掛かりな配管工事などを要するものとなってしまい、水源の状況などに応じて簡単に移設、利用するのが難しいという致命的な課題を抱えるものであった。              
【特許文献１】（１）特開平８−９３６２４号公報    （２）特開２００９−１２７４４７号公報    （３）特開２００３−２１４３２１号公報    （４）特開２００４−８４５８６号公報    （５）特開２００３−２２２０６７号公報
【考案の開示】
【考案が解決しようとする課題】
【０００５】
（問題意識）
上述したとおり、従前までに提案のある可搬型の各種水車は、何れも小河川の水位変動に対応して常時効率的に運転できるように調節しなければならないという欠点がり、また、複数系統の出力を得るのが難しい上、河川水を分岐、利用する場合には、多大な工費を要するものとなってしまって不経済であるという致命的で未解決の問題があることなどに鑑みて、小型軽量で平易な工事で安全に設置することができ、山小屋や別荘などといった未開地で未配電の箇所への活用ばかりではなく、一般住宅向けなど配電地域内のエネルギー源としても、廉価に提供できるようにした有効な小型水車の実用化が、自然エネルギーの活用を急務とする今後のエネルギー対策として、ソーラーや風力と同じか、あるいは我が国の地形からしてそれ以上に重要視されなければならないと云える。
【０００６】
（考案の目的）
そこで、この考案は、小河川などを対象に簡単な小規模工事で迅速に設置および移設可能であり、１基で２系統の回転出力を得ることができる上、水源の水位の変動に影響されずに常時安定した出力を得ることができるようにした新たな水車技術の開発はできないものかとの判断から、逸速くその開発、研究に着手し、長期に渡る試行錯誤と幾多の試作、実験とを繰り返してきた結果、今回、遂に新規な構造の可搬型水車、およびそれを組み込んだ新規な構造の小型水力装置を実現化することに成功したものであり、以下では、図面に示すこの考案を代表する実施例と共に、その構成を詳述することとする。                  
【課題を解決するための手段】
【０００７】
（考案の構成）
図面に示すこの考案を代表する実施例からも明確に理解されるように、この考案の可搬型水車は、基本的に次のような構成から成り立っている。
即ち、狭幅水流を挟んで対峙する両岸夫々に設置可能な一対の定着台間に、該狭幅水流の直上または直下の何れかに配するよう、該水流に直交する水平状に横架可能な回転軸の両端がわを夫々軸受けを介して軸着すると共に、該回転軸の水流に対応する中途適所に、同回転軸回り同心円上に複数の羽根板またはバケットを等角度間隔毎に配すると共に、同回転軸回りの各羽根板または各バケットよりも僅かに回転軸寄りとなる同心円上の所定間隔毎であって、各羽根板または各バケット左右巾の中央となる位置に、複数の慣性錘を互いに均衡するよう配した水車を一体化した上、該回転軸の水車と左右一対の定着台との間となる適所夫々に、回転力取り出し用の歯車を同心状に一体化してなるものとした構成を要旨とする可搬型水車である。
【０００８】
（関連する考案）
上記した可搬型水車に関連し、この考案には、それを組み込んでなる小型水力装置も包含している。
即ち、小河川途中の上流がわに上堰堤を配し、該上堰堤に近い下流がわに、同上堰堤より僅かに低く、河床付近に減圧口を開口した下堰堤を配し、該上堰堤と下堰堤とで井堰を形成すると共に、該井堰の下堰堤の河床付近から小河川外に分岐管を導出し、同分岐管の狭幅水流を放流可能とした吐出端がわに、この考案の基本をなす前記可搬型水車を配した上、該可搬型水車を通過した狭幅水流を当該小河川本流の下流がわに誘導可能な放水路を設置してなるものとした、この考案の基本をなす前記可搬型水車を組み込んだ小型水力装置である。                                                                                                            
【考案の効果】
【０００９】
以上のとおり、この考案の可搬型水車によれば、従前までのものとは違い、上記したとおりの固有の特徴ある構成から、大掛かりな工事などを必要とせずに、小川や沢、農業用水路などの小河川に、直接か、または、それらの小河川などから分岐、誘導した狭幅水流に対してかの何れにあっても、安全、簡単且つ迅速に設置することができ、しかも移設や撤去も容易な上、一対の定着台間に横架した回転軸と、複数の慣性錘とにより、少ない水量であっても水車を各段に効率的に回転駆動することが可能となり、しかも回転軸の左右に配した歯車から２系統の回転出力を取り出し、一方の出力を石臼や鋸、ポンプなどといった様々な機械類の動力原とし、他方の出力を発電用として利用するなど、その利用範囲を大幅に広めたものとすることができ、特に、電力会社からの電力供給が届かない立地の山小屋や各種作業小屋用などの電力源および動力原として有効に利用することができるものとなるという大きな特徴を有している。
【００１０】
加えて、この考案の可搬型水車を組み込んでなる小型水力装置によれば、小河川途中の適所に井堰を設けたものとしてあるから、河幅や水量などが様々に異なる河川からも安定した狭幅水流を得ることができ、しかも小河川の本流が増水してしまった場合でも、可搬型水車の横転や流失を確実に防止できるものとなり、より安全で安定した電力を２４時間止まることなく得ることができるという秀れた効果を発揮し得るものとなる。                  
【考案を実施するための最良の形態】
【００１１】
上記したとおりの構成からなるこの考案の実施に際し、その最良もしくは望ましい形態について説明を加えることにする。
定着台は、狭幅水流を挟んで対峙する両岸間に、回転軸を同水流に直交する水平状に横架可能、且つ該回転軸に一体化した水車および歯車を回転自在とするよう安定に支持可能で、しかも簡単に設置可能であると共に、他の場所に簡単に運搬、移設可能なものとする機能を果たすものであり、その設置面形状を安定接地および強固な定着に適した形状のものとしなければならず、１〜２人の少人数であっても運搬容易な重量に規制したものとすべきであり、後述する実施例に示すように、鉄筋コンクリート製や鉄骨枠製のものなどとすることができ、適所に軸受けメタルやボールベアリングなどの軸受けを設けたものとするのが望ましく、水車配置がわを除く底面周囲にアンカーボルトや鉄杭用のフランジ部を一体化したものとすることができる。
【００１２】
回転軸は、狭幅水流を挟んで対峙する両岸に配した一対の定着台間に、同水流に直交する水平状且つ回転自在に横架可能となり、しかも該狭幅水流に対応可能な中途適所に水車を一体化可能であり、該水車と左右一対の定着台との間となる適所夫々に結合した歯車から、夫々、その回転力を取り出し可能とする機能を果たし、水車の回転力を安全且つ充分に各歯車に伝達可能な強度を有するものとしなければならず、両端に軸受け用のジャーナル部を形成し、水車や各歯車装着部分には、キー溝を形成したものとするのが望ましいが、熔接結合や、ブランジ部分を形成し、ボルト・ナット結合可能としたものなどとすることもできる。
【００１３】
水車は、狭幅水流の流水を受けて回転軸に回転力を与えるものであり、該回転軸回り同心円上に複数の羽根板またはバケットを等角度間隔毎に配すると共に、同回転軸回りの各羽根板または各バケットよりも僅かに回転軸寄りとなる同心円上の所定間隔毎に複数の慣性錘を互いに均衡するよう配したものとしなければならず、充分な耐久強度を有して安全な回転を得るものとすべきであり、防錆に秀れたスレンレス鋼やアルミニウム合金製とすることができる外、木製や合成樹脂製のものとすることが可能である。
【００１４】
慣性錘は、狭幅水流の流水を受けて回転する水車に回転の安定と慣性力とを与えるものであり、同回転軸回りの各羽根板または各バケットよりも僅かに回転軸寄りとなる同心円上の所定間隔毎であり、各羽根板または各バケットよ左右巾の中央となる位置に、複数個、互いに均衡するよう配したものとし、充分な強度で一体化したものとしなければならず、着脱自在にしておいて、予め準備しておいた重さの異なるものを付け替えて回転の調整を行えるようにしたものとすることが可能である。
【００１５】
歯車は、回転軸の水車と左右一対の定着台との間となる適所夫々から回転力を取り出し可能とするものであり、一般的な各種工業規格に基づく各種歯車や各種スプロケットなどとすることができる外、プーリやベルト車などへの置き換えも可能であり、各種従動歯車、各種チェーン、各種ベルト類などを噛合または巻掛けできるようにしたものとすべきである。
【００１６】
井堰は、小幅の沢、小川、農業用水路、側溝その他の何れかの小河川途中適所から、安定した狭幅水流を分岐可能とする機能を果たすものであり、小河川途中の上流がわに上堰堤を配し、該上堰堤に近い下流がわに、同上堰堤より僅かに低く、河床付近に減圧口を開口した下堰堤を配し、該上堰堤と下堰堤とからなるものとしなければならず、上堰堤および下堰堤を夫々小河川の両岸間に設置したものとする外、後述する実施例に示してあるように、小河川の河床に沈設するだけで利用可能なコンクリート製で升型に形成したものとすることができる。
【００１７】
上堰堤は、小河川の水面付近の水流のみを下流がわに通過可能とするものであり、小河川が増水した場合には、容易に上堰堤上端を乗り越えて流下できるようにしたものとしなければならず、容易に横転したり流失したりなどしないよう強固に設置されたものとするのが望ましく、しかも簡単に撤去できるものとするのがよい。
【００１８】
下堰堤は、上堰堤の下流がわに対峙し、同上堰堤と共に井堰を形成し、該井堰に流入した河川水の水面付近の水流を優先的に下流がわに通過可能とすると共に、同井堰に流入した河川水の河床付近の水流の一部を下流がわに通過可能とする上、同井堰に流入した河川水の河床付近の水流の他の一部を分岐管に誘導可能とするものであり、小河川が増水した場合には、容易に下堰堤上端を乗り越えて流下できるようにしたものとしなければならず、前記上堰堤と同様に、容易に横転したり流失したりしないよう強固に設置されたものとすべきであり、しかも簡単に撤去できるものとするのが望ましい。
【００１９】
分岐管は、井堰の下堰堤から河川水の一部を分岐し、小河川の本流外に誘導して当該可搬型水車水車に向けた狭幅水流として供給可能とするものであり、該下堰堤の河床付近から一部の水流を途中で漏出させないよう誘導するものとし、その中途部および吐出端が下堰堤の河床付近よりも低い位置に配管されたものとしなければならず、少量であっても消化用放水などのような強い水圧を発生可能なものとすべきであり、下堰堤への接続端や水車に向かう吐出端直後などに除塵用のスクリーンや網などを設置したものとすることができる。
【００２０】
放水路は、水車を通過した狭幅水流を当該小河川本流の下流がわに誘導可能とするものであり、水車を回転して放出された狭幅水流よりも低い位置に形成し、小河川本流の下流がわに円滑に誘導可能とするものとしなければならず、漏水しないよう防水した小側溝や配管パイプなどからなるものとすべきである。
以下では、図面に示すこの考案を代表する実施例と共に、その構造について詳述することとする。                                                                            
【実施例１】
【００２１】
図１の可搬型水車の斜視図、図２の歯車の側面図、図３の歯車の正面図、および、図４の一部に改良を加えた可搬型水車の斜視図に示す事例は、狭幅水流Ｓ１を挟む両岸に設置可能な一対の定着台２，２間に回転軸３の両端がわを軸着すると共に、該回転軸３の水流Ｓ１に対応する中途適所に、同回転軸３回り同心円上に複数のバケット４５を等角度間隔毎に配し、同回転軸３回りの各バケット４５，４５，……よりも回転軸３寄りとなる同心円上の所定間隔毎であって、各バケット４５，４５，……左右巾の中央となる位置に、複数の慣性錘４６を互いに均衡するよう配した水車４を一体化し、該回転軸３の水車４と左右一対の定着台２，２との間夫々に歯車５，５を一体化してなるものとした、この考案の可搬型水車における代表的な一実施例を示すものである。
【００２２】
それら各図からも明確に把握できるとおり、この考案の可搬型水車１は、所定長さの直線棒状体からなり、その両端にジャーナル部３１，３１を形成すると共に、該直線棒状体の長さ寸法中央位置、および、同長さ寸法中央と各ジャーナル部３１，３１との中間位置夫々にキー溝（図示せず）を刻設してなる回転軸３を有し、該回転軸３の長さ寸法中央には、水車４を同心状に装着し、また、同長さ寸法中央と各ジャーナル部３１，３１との中間位置夫々に、該水車４外径寸法よりも充分に小さな歯車５，５を同心状に装着すると共に、各キー溝にキー（図示せず）を差し込み、水車４および各歯車５，５を着脱可能に一体化した上、当該回転軸３の両端ジャーナル部３１，３１は、同回転軸３の軸心に平行する断面形を水平方向寸法長の短い台形状とし、同軸心に交叉する断面形を水平方向寸法長の長い台形状とし、同回転軸３の回転方向の定着力を強化可能な形状とした鉄筋コンクリートブロック製左右一対の定着台２の各天面に固着したベアリング内蔵の軸受け２１，２１に回転自在に軸着してなるものである。
【００２３】
図２および図３に示すように、当該水車４は、回転軸３の中央に対してキー溝（図示せず）を介して回転不能に装着可能な軸着筒部４１を有し、同軸着筒部４１の外周壁から複数枚の長方形状羽根板４２，４２，……を等角度（例えば２２．５°）間隔で夫々直径方向に延伸すると共に、各羽根板４２，４２，……先端がわ間夫々に、円弧帯状の左右側板４３，４３および円筒形の底板４４を結合し、複数個のバケット４５，４５，……を全周囲に渡って配列するよう形成したものであり、それら羽根板４２，４２，……の中の互いに等角度（例えば９０°）の開き角度を隔てた４枚の各底板４４，４４の直下となる表裏面で、左右幅の中央となる位置夫々に慣性錘４６，４６を固着したものとしてある。
【００２４】
図１中に示すように、各歯車５，５は、夫々チェーンを巻掛け可能なスプロケットであり、同図１中の白抜き矢印に示すように、水車４に狭幅水流Ｓ１を受けると、同図１中の実線矢印に示すように回転し、二点鎖線矢印で示すように、チェーン（図示せず）を介して回転動力を取り出すことが可能なものとしてあり、また、図４に示すように、各定着台２，２は、水車４に対峙する側壁を除く周壁底部にボルトや鉄杭による固定を可能とするフランジ部２２，２２を一体化形成したものとすることが可能である。
【００２５】
（実施例１の作用）
以上のとおりの構成からなるこの考案の可搬型水車１を組み込むことで、図５の小型水力装置の平面図、および、図６の図５中のＡ−Ａ線部分の断面図に示すように、この発明に包含される小型水力装置６とすることができるものである。
それら各図に示すとおり、当該小型水力装置６は、小河川Ｓ途中適所に河幅に一致する鉄筋コンクリート製、天面開放型有底升状の井堰７を沈設し、該井堰７の上流がわ配置となる上堰堤７１上端縁には、その中央所定幅範囲を該小河川Ｓ上流がわの水面よりも僅かに低く設定した流入堰口７２を形成したものとする一方、この井堰７よりも下流がわ配置となる下堰堤７３上端縁には、その左右何れか一方寄りとなる位置に、前記上堰堤７１流入堰口７２よりも僅かに低く、幅狭の流出堰口７４を形成すると共に、同下堰堤７３左右幅中央の河床付近に、小河川Ｓ下流がわに向けた筒状の減圧口７５を突設、開口するようにした上、同下堰堤７３河床付近の左右がわ何れか一方から小河川Ｓ外に分岐管８を導出し、同分岐管８の狭幅水流Ｓ１を放流可能とした吐出端８１がわに、前記実施例１の図１ないし３に示した可搬型水車１を配して確りと定着させた上、該可搬型水車１を通過した狭幅水流Ｓ１が流入する集流升９１を設置すると共に、同集流升９１からの水流Ｓ１を当該小河川Ｓ本流の下流がわに誘導可能な放水路９を設置してなるものとしてある。
【００２６】
（実施例１の効果）
以上のような構成からなる実施例１の可搬型水車１は、前記この考案の効果の項で記載の特徴に加え、図４中に示すように、各定着台２，２にフランジ部２２，２２を形成したものは、ボルト・ナットや鉄杭（図示せず）などを用いて一段と強固な定着を実現化したものとすることができ、図５および図６に示すように、当該実施例１の可搬型水車１を組み込んでなる小型水力装置６は、その井堰７を鉄筋コンクリート製、天面開放型有底升状のものとしてあるから、小河川Ｓへの沈設が容易で安定的に固定可能であり、しかも不要になったときには簡便に撤去することができるという利点が得られることとなる。
【００２７】
そして、同井堰７上堰堤７１上端縁左右幅の中央に流入堰口７２、および、下堰堤７３上端縁の左右何れか一方がわに幅狭の流出堰口７４を夫々形成してあるから、該井堰７内に一定量の河川水を貯留可能とし、分岐管８に一定流量、一定水圧の水流Ｓ１を、常時安定供給可能とすることができ、しかも減圧口７５が、分岐管８に過剰な水圧が加わるのを阻止するものとなって、各段に安全な流水分岐を実現化するものとなる上、可搬型水車１を通過した直後の狭幅水流Ｓ１を集流升９１に受けるようにしてあることから、水流を一旦止めて静圧状態とした後、放水路９を円滑に通過して淀みなく小河川本流の下流がわに誘導、放流することができるようになるという秀れた効果を奏するものとなる。
【００２８】
（結  び）
叙述の如く、この考案の可搬型水車、およびそれを組み込んだ小型水力装置は、その新規な構成によって所期の目的を遍く達成可能とするものであり、しかも製造も容易で、従前からの可搬型の水車に比較して大幅に部品点数を削減し、耐久強度を高め、軽量且つ低廉化して遥かに経済的なものとすることができる上、小河川への設置および移設、撤去工事も容易であって誰にでも簡単に設置することができ、高効率の発電や回転動力の取り出しに有効なものとなることから、原動機や小型発電機、および、家庭向け電力源などの開発、実用化に積極的な発電機業界や家電業界、住宅業界、電力業界などにおいては固よりのこと、安全で身近な水力エネルギーの有効利用を希望する一般家庭においても高く評価され、広範に渡って利用、普及していくものになると予想される。                                  
【図面の簡単な説明】
【００２９】
図面は、この考案の可搬型水車、およびそれを組み込んだ小型水力装置の技術的思想を具現化した代表的な幾つかの実施例を示すものである。
【図１】可搬型水車を示す斜視図である。
【図２】水車を示す側面図である。
【図３】水車を示す正面図である。
【図４】改良を加えた可搬型水車を示す斜視図である。
【図５】小型水力装置を示す平面図である。
【図６】図５中のＡ−Ａ線部分を示す断面図である。
【符号の説明】
【００３０】
１      可搬型水車
２      定着台
２１    同  軸受け
２２    同  フランジ部
３      回転軸
３１    同  ジャーナル部
４      水車
４１    同  軸着筒部
４２    同  羽根板
４３    同  左右側板
４４    同  底板
４５    同  バケット
４６    同  慣性錘
５      歯車
６      小型水力装置
７      井堰
７１    同  上堰堤
７２    同  流入堰口
７３    同  下堰堤
７４    同  流出堰口
７５    同  減圧口
８      分岐管
８１    同  吐出端
９      放水路
９１    同  集流升
Ｓ      小河川
Ｓ１    同  狭幅水流                                                                    
【図１】
0003158569.tif 000003
【図２】
0003158569.tif 000004
【図３】
0003158569.tif 000005
【図４】
0003158569.tif 000006
【図５】
0003158569.tif 000007
【図６】
0003158569.tif 000008